Podtech/llm-jp-corpus-v4-ja_patent huggingface dataset:
(57)【要約】      （修正有）【課題】簡単に組み立て分解ができコンパクトに収納できる軽量で携帯に便利な燃焼効率の良い組み立て式焚き火台を提供する。【解決手段】上部枠体を形成するガイド部材２と、ガイド部材を支持する支柱部材３と、支柱部材を補強する補強部材４と、上部枠体に取り付けられているステンレスメッシュ部材６とを備えた焚き火台１であって、支柱部材にガイド部材を着脱自在に連結させる上部連結部材５と、補強部材を着脱自在に連結する下部連結部材を備える。ガイド部材は両端に屈曲部を備え、支柱部材の上部連結部材に連結され、補強部材は両端に屈曲部を備え、支柱部材の下部連結部材に連結される。ステンレスメッシュ部材は、上部枠体の上方であって支柱部材の先端に取り付けられる。【選択図】図１
0003223018.tif 000002
【実用新案登録請求の範囲】
【請求項１】
上部枠体を形成するガイド部材と、ガイド部材を支持する支柱部材と、支柱部材を補強する補強部材と、上部枠体に取り付けられているステンレスメッシュ部材とを備えた焚き火台であって、前記支柱部材には前記ガイド部材を着脱自在に連結させる上部連結部材と、前記補強部材を着脱自在に連結する下部連結部材を備え、前記ガイド部材は両端に屈曲部を備え、前記支柱部材の前記上部連結部材に連結され、前記補強部材は両端に屈曲部を備え、前記支柱部材の前記下部連結部材に連結され前記ステンレスメッシュ部材が前記上部枠体の上方であって前記支柱部材の先端に取り付けられていることを特徴とする焚き火台。
【請求項２】
前記ガイド部材と前記支柱部材と前記補強部材は丸鋼、異形鉄筋のいずれか一方で形成されることを特徴とする請求項１記載の焚き火台。
【考案の詳細な説明】
【技術分野】
【０００１】本考案は組み立て分解可能な焚き火台に関するものである。
【背景技術】
【０００２】昨今キャンプブームもあり、家族でのファミリーキャンプ、単身でのソロキャンプ、友人仲間同士のグループキャンプと人それぞれの楽しみ方をする絶対数が増えてきた。屋外で調理をする際に火というものは必要不可欠なものであるためどうしても焚き火台というものが必要になる。様々なバーベキュー台、焚き火台が市販されているが、コンパクトに収納できて軽量で携帯しやすく組み立て分解可能な丈夫で長持ちして手入れのしやすい焚き火台は存在していない。【０００３】例えば特開２０１１−７５２７０号では野外での調理に適した焚き火台が開示されている。
【先行技術文献】
【特許文献】
【特許文献１】特開２０１１−７５２７０号公報
【考案の概要】
【考案が解決しようとする課題】
【０００４】しかしながら上部枠体を形成するガイド部材と、ガイド部材を支持する支柱部材と、支柱部材を補強する補強部材と、上部枠体に取り付けられているステンレスメッシュ部材とを備えた焚き火台であって、前記支柱部材には前記ガイド部材を着脱自在に連結させる上部連結部材と、前記補強部材を着脱自在に連結する下部連結部材を備え、前記ガイド部材は両端に屈曲部を備え、前記支柱部材の前記上部連結部材に連結され前記補強部材は両端に屈曲部を備え、前記支柱部材の前記下部連結部材に連結され、前記ステンレスメッシュ部材が前記上部枠体の上方であって前記支柱部材の先端に取り付けられていることを特徴とする焚き火台は存在しない。【０００５】本考案はこのような問題を鑑みてなされたものであり、熱に強く錆の手入れもしやすくコンパクトに収納可能な焚き火台を提供することを目的とする。
【課題を解決するための手段】
【０００６】以上の課題を解決するために、上部枠体を形成するガイド部材と、ガイド部材を支持する支柱部材と、支柱部材を補強する補強部材と、上部枠体に取り付けられているステンレスメッシュ部材とを備えた焚き火台であって前記支柱部材には前記ガイド部材を着脱自在に連結させる筒状の連結部材と、前記補強部材を着脱自在に連結させる筒状の部材を備え前記ガイド部材は両端に屈曲部を備え、前記支柱部材の筒状部材に連結され、前記補強部材は両端に屈曲部を備え、前記ステンレスメッシュ部材が前記上枠体の上方であって前記支柱の先端部に取り付けられていることを特徴とする焚き火台とした。
【考案の効果】
【０００５】本考案の焚き火台は薪や木炭をステンレスメッシュ部材に乗せることにより薪や木炭全体に空気があたり燃焼効率が上がり従来の製品よりも確実に薪や木炭を完全燃焼させることができる。【０００６】また、全ての部材が丸鋼を組み合わせて組み上げるため分解して簡単に持ち運べ軽量でコンパクトに収納できる。【０００７】また、各部材に残っている灰も簡単に払い落とすことができメンテナンス性が高い。
【図面の簡単な説明】
【０００８】
【図１】本考案の実施形態の焚き火台の構造を示す斜視図である。
【図２】本考案の焚き火台にロストルを乗せた状態を示す斜視図である。
【考案を実施するための形態】
【０００９】以下に本考案の一実施の形態を説明する。
【実施例１】
【００１０】直径１０ｍｍ、長さ５００ｍｍの丸鋼の先端部５０ｍｍを９０度に屈曲させてガイド部材とした。【００１１】直径１０ｍｍ、長さ３６０ｍｍの丸鋼を支柱部材とし、前記支柱部材の上下先端部に直径１３ｍｍ、長さ５０ｍｍの筒状の連結部材を溶接した。【００１２】直径１０ｍｍ、長さ８００ｍｍの丸鋼の先端部５０ｍｍを９０度に屈曲させて補強部材とした。【００１３】厚さ１ｍｍのステンレス製網目シートを４５０ｍｍ×３２０ｍｍに成形後、四隅に直径１２ｍｍの穴を開けステンレスメッシュ部材とした。
【符号の説明】
【００１４】１      焚き火台
２      ガイド部材
３      支柱部材
４      補強部材
５      連結部材
６      ステンレスメッシュ部材
【図１】
0003223018.tif 000003
【図２】
0003223018.tif 000004
(57)【要約】      （修正有）【課題】高齢者又は身体弱者等が農作業のために農具の運搬、畑、ビニ一ルハウス内での収穫物、肥料の運搬等を行う人の労力を援助し、安全に搬送する為の電動アシスト３輪車を提供する。【解決手段】三輪と荷台６を備えた電動アシスト３輪車において、ハンドルに設けた第一のスイッチ３と荷台の右側面又は左側面の一方に設けた第二のスイッチを設けた。第二のスイッチは、光センサ一１４で駆動停止するスイッチであって、第一のスイッチ３は手動のスイッチにより駆動停止するスイッチである。【選択図】図３
0003223020.tif 000002
【実用新案登録請求の範囲】
【請求項１】
三輪と荷台を備えた電動アシスト３輪車において、ハンドルに設けた第一のスイッチと荷台の右側面、左側面の一方に設けた第二のスイッチを設けた事を特徴とする電動アシスト３輪車。
【請求項２】
前記第二のスイッチは、光センサ一で駆動停止するスイッチであつて右側面及び左側面の両方又は一方に配置されており、前記第一のスイッチは手動のスイッチにより駆動停止するスイッチであることを特徴とする請求項１に記載の電動アシスト３輪車。
【考案の詳細な説明】
【技術分野】
【０００１】  小型の荷台を車輪上に乗せ、車輪はゴム製またはアイゼンの形をした車輪で、後車輪の駆動は光センサ一と各セグメントとＯＮ一ＯＦＦのスイッチにより電動モ一タを作動させる。
【背景技術】
【０００２】  農業従事者は高齢になり身体の不具合も重なり、農業の放棄が進んでいる、ビニ一ルハウス内での収穫作業でも大変な労力で、又少々の坂道でも登れず、少しのアシストがあれば高齢者には十分に対応が可能である。
【先行技術文献】
【特許文献】
【０００３】
【特許文献１】特開２００３一１１８２５
【特許文献２】実登３０４８２４１
【考案の概要】
【考案が解決しようとする課題】
【０００４】  農村地帯は高齢者が多く、坂道、畔、農道などの往来が身体的に大変な苦労になっており、又これに耐えられず高齢者は離農される人も多い、特開２００３一１１８２５  公報は１輪車の為運搬時不安定で、高齢者は取り扱いが容易でない、又実登３０４８２４１公報は一度に多量の荷物を乗せられる様設計されているが重量的又安定的に畑、畔道、坂道、ビニ一ルハウス内など電動の１輪車では無理である。
【課題を解決するための手段】
【０００５】三輪と小型の荷台を備えた電動アシスト３輪車で前輪はゴムタイヤ製又後輪はゴムタイヤ製とアイゼンの形をした車輪とを用途により交換可能にし、車輪の駆動は電動である。又、電動モ一タを作動させるコントロ一ラは手動と自動に分かれ、自動は荷台の側面に備えた光センサ一と各セグメントにより後輪が駆動し前進させ農作業時間の短縮と疲労軽減を図る。又、手動はＯＮ一ＯＦＦのスイッチで車輪が駆動する。
【考案の効果】
【０００６】高齢化した農村の農作業を進める運搬の手段として、車輪は作業者の側面に位置し、作業の進み具合に合わせて光センサ一に手をかざし必要な位置まで電動アシスト３輪車を前進させる、作業者はわざわざ立ち上がり、取手のスイッチを押す必要はなく作業効率は上がり作業時間の短縮と疲労軽減が図られ大変効果のある電動アシスト３輪車である。
【図面の簡単な説明】
【０００７】荷台、３個の車輪、電動モ一タ一及びその操作部を搭載した電動アシスト３輪車の図面である。
【図１】光センサ一による自動運転と手動運転の電気構成図で、手動運転は３のＯＮ一ＯＦＦ用スイッから１５のＡＢ連動スイッチを経由して１６の前セグメントに、又自動運転は１４の光センサ一から１５のＡＢ連動スイッチを経由して１６の前セグメントに、パワ一セグメント１７を経由して電動モ一タ一１２へ、１８は１２、１４、１６、１７へ電源を供給している。又、自動運転と手動運転の電動モ一タ一１２の回転数を調整するコントロ一ル部４がある。又、制御ユニットとバツテリの収容は収容箱５に収容されている、光センサ一１４は農作業の方法により荷台６の右側、左側のいずれか又は両側面に取り付ける。
【図２】本体前面図で取手１と２は荷台６の右と左に取り付けられており、３のＯＮ一ＯＦＦ用スイッと回転数を変えるコントロ一ル部４があり、側面には光センサ一１４が取り付けてある。
【図３】本体の側面図で荷台６に取り付けられている左側１の取手にモ一タ一のＯＮ一ＯＦＦ用スイッチ３、バツテリ収容箱５、光センサ一１４は荷台６の右側面又は左側面、両側面のいずれかに配置、１２の電動モ一タ一は車軸に取り付けてある。
【図４】本体後面図で取手１と２は荷台６の右と左に取り付けられており、３のＯＮ一ＯＦＦ用スイッと回転数を変えるコントロ一ル部４があり、荷台６に取り付けられている前車輪８、後車輪１０、１１がある。又、後車輪１０、１１を可動させる電動モ一タ一１２と車軸１３がある。
【図５】後車輪１０、１１の交換用で８はゴムタイヤ、９はアイゼンの形をしたタイヤである。
【考案を実施するための形態】
【０００８】電動アシスト３輪車は電動駆動の為電池は充電されている事を確認し、又場所用途により車輪を交換しておく。車輪の回転数を変えるコントロ一ル部は必ず低速にセットしておき、光センサ一は農作業の方法により荷台右側、左側のいずれか又は両側面に取り付ける。全て完了した後自動は光センサ一にタッチして前進させる。又、停止する場合は再度光センサ一にタッチする、手動はＯＮ一ＯＦＦ用スイッチを操作する。
【実施例】
【０００９】電動モ一タを搭載した電動アシスト３輪車の実施例を添付図面に従がつて説明する、電動アシスト３輪車を運転する為、硬めの畑か、ぬかるみの畑かにより、車輪の交換が必要である。【００１０】駆動用バツテリは充電器よりはずしバツテリ収容箱５に収容し発光ダイオ一ドが点灯したことを確認する。【００１１】右取手２に付属されているコントロ一ル部４のレバ一を低速にセットし、右取手２及び左取手１に手をかけ、手動は左取手１のＯＮ一ＯＦＦ用スイッチ３を押し車輪が少しずつ動く事を確認したあと、右取手２のコントロ一ル部４のレバ一を少しずつ動かし歩幅に合ったスピ一ドに合せ運転する。又、自動は光センサ一にタッチして前進させ、又停止は再度タッチして停止させる。
【符号の説明】
【００１２】  １  左取手
２  右取手
３  ＯＮ一ＯＦＦ用スイッチ
４  コントロ一ル部
５  制御ユニットとバツテリの収容箱
６  荷台
７  前輪の回転部
８  ゴム製車輪
９  アイゼンの刃の形をした車輪
１０  左側後部車輪
１１  右側後部車輪
１２  電動モ一タ一
１３  車軸
１４  光センサ一
１５  ＡＢ連動スイッチ
１６  前セグメン
１７  パワ一セグメント
【図１】
0003223020.tif 000003
【図２】
0003223020.tif 000004
【図３】
0003223020.tif 000005
【図４】
0003223020.tif 000006
【図５】
0003223020.tif 000007
(57)【要約】      （修正有）【課題】太陽光発電の余剰電力を蓄電し、蓄電した電力を自家消費する事ができ、家庭の電力購入代金を大きく削減出来る太陽光発電用蓄放電装置を提供する。【解決手段】太陽光パネル１からの直流入力端子Ｄと、パワコン２（直流電源を商用交流電源に変換する装置）への直流出力端子Ｅと、電力センサーＣからの信号線の接続端子Ｆを備え、電力センサーの信号により蓄電池Ｉへの蓄電とパワコンへの直流出力制御をする回路を内蔵した制御盤Ｇを蓄電池の外装Ｊに固定し、且つ、制御盤の蓄電池接続端子Ｈと蓄電池を結線して一体化した。【選択図】図３
0003223017.tif 000002
【実用新案登録請求の範囲】
【請求項１】
太陽光パネル１からの直流入力端子Ｄと、パワコン（直流電源を商用交流電源に変換する装置）２への直流出力端子Ｅと、電力センサーＣからの信号線の接続端子Ｆを備え、電力センサーＣの信号により蓄電池Ｉへの蓄電とパワコン２への直流出力制御をする回路を内蔵した制御盤Ｇを蓄電池Ｉの外装Ｊに固定し、尚且つ、制御盤Ｇの蓄電池接続端子Ｈと蓄電池Ｉを結線して一体化したことを特徴とする太陽光発電用蓄放電装置。
【考案の詳細な説明】
【技術分野】
【０００１】  本考案は、太陽光発電の技術分野に属し、太陽光発電の余剰電力を蓄電池で蓄電し、夜間や曇りの日に放電して自己消費しようとするものである。
【背景技術】
【０００２】  従来の太陽光発電は図２のごとく、
太陽光パネル１で発電した電力はパワコン２で商用電力に変換され、分電盤３に接続されていた。
夜間等の太陽光発電が無い場合や照明５、機器６、エアコン７による消費電力よりも太陽光発電が不足していた場合は購入電力計Ａを経由して電力を電力会社４から購入していた。
昼間の太陽光発電が照明５、機器６、エアコン７による消費電力を上回る電力の場合は売電電力計Ｂで余剰電力として電力会社４に販売していた。
余剰電力は２００９年以降、国の自然エネルギー固定価格買い取り制度（以後、ＦＩＴと表現する）で高い単価で販売されていた。
【先行技術文献】
【０００３】
【特許文献】
【特許文献】特願２０１４−１２５１９７  充放電装置  特願２０１６−１１６２８６  蓄電システム  特願２０１４−１４２３７０  太陽光発電向け蓄電システム
【０００４】
【非特許文献】
【非特許文献】資源エネルギー庁ホームページ固定価格買い取り制度。
【考案の概要】
【考案が解決しようとする課題】
【０００５】  従来の家庭用太陽光発電の電気はＦＩＴにより、余剰電力は高い単価で売ることができた。しかし、設置後１０年でこのＦＩＴが終了し、その後は低単価での販売することになり、設備寿命が１０年以上残っているにも関わらず、自分が使っている購入電力単価よりも安く電力会社４に販売しなければならないという課題があった。
【問題を解決するための手段】
【０００６】  上記課題を、解決するために、
太陽光パネル１からの直流入力端子Ｄと、パワコン（直流電源を商用交流電源に変換する装置）２への直流出力端子Ｅと、電力センサーＣからの信号線の接続端子Ｆを備え、電力センサーＣの信号により蓄電池Ｉへの蓄電とパワコン２への直流出力制御をする回路を内蔵した制御盤Ｇを蓄電池Ｉの外装Ｊに固定し、尚且つ、制御盤Ｇの蓄電池接続端子Ｈと蓄電池Ｉを結線して一体化したことを特徴とする太陽光発電用蓄放電装置。
により解決しようとするものである。
【考案の効果】
【０００７】  本考案の太陽光発電用蓄放電装置により、太陽光発電の余剰電力を蓄電し、蓄電した電力を自家消費する事ができるようになるので家庭の電力購入代金を大きく削減出来るようになり、安く電力会社４に販売しなくて済むようになる。
【０００８】  自家消費電力のほとんどを太陽光発電の電力で賄うことが出来るようになるので、グリーンで環境にやさしい快適な生活ができるようになる。
【０００９】  本考案の太陽光発電用蓄放電装置は太陽光パネルとパワコンの間に接続され簡単な工事で安く設置することが出来るので各社の太陽光発電システムに取り付けることができるようになる。
【図面の簡単な説明】
【００１０】
【図１】本考案の太陽光発電用蓄放電装置である。
【図２】従来の太陽光発電システム図である。
【図３】本考案の太陽光発電用蓄放電装置設置例を示した図である。
【考案を実施するための形態】
【００１１】  本考案による実施の形態について説明すると、図３のごとく
本考案の太陽光発電用蓄放電装置は一体化されているので、
まず、太陽光パネル１からパワコン２に接続されていた配線をパワコン２側で外し、これを直流入力端子Ｄに接続する。
新たに電線を用意し、直流出力端子Ｅから配線をパワコン２の太陽光パネル入力端子に接続して配線を戻す。
電力会社４と分電盤３の間の電線に電力センサーＣを取付ける。
電力センサーＣの信号線を信号接続端子Ｆに接続する。
これらにより本考案の太陽光発電用蓄放電装置を実施できるようになる。
【実施例】
【００１２】  実施例としては、図３のごとく
日中は太陽光パネル１から直流３００Ｖの電力が端子Ｄに受電され、内部制御回路を経由してほぼ同等の電力を直流３００Ｖで端子Ｄからパワコン２に供給するようになる。
電力センサーＣで余剰売電電力発生した場合は、その余剰分を直流４８Ｖに降圧して蓄電池Ｉに蓄電する。
夜間など電力センサーＣで購入電力がある場合は蓄電池Ｉの電気を直流３００Ｖに昇圧してパワコン２に供給することにより、ＡＣ１００Ｖに変換され分電盤３に供給され自家消費できるようになる。
【産業上の利用の可能性】
【００１３】  本考案はどのメーカーの太陽光発電システムにも簡単に取り付けることが出来るので太陽光発電の自家消費のシステムが増え、多くの普及が期待される。
【符号の説明】１  太陽光パネル
２  パワコン
３  分電盤
４  電力会社
５  照明
６  機器
７  エアコン
Ａ  購入電力計
Ｂ  売電電力計
Ｃ  電力センサー
Ｄ  太陽光パネルからの直流入力端子
Ｅ  パワコンへの直流出力端子
Ｆ  電力センサーからの信号線の接続端子
Ｇ  制御盤
Ｈ  蓄電池接続端子
Ｉ  蓄電池
Ｊ  蓄電池の外装
【図１】
0003223017.tif 000003
【図２】
0003223017.tif 000004
【図３】
0003223017.tif 000005
(57)【要約】      （修正有）【課題】熱中症防止を目的とした三角布を提供する。【解決手段】少なくとも１つの前記保冷剤入れの入れ口部分は、前記二等辺三角形の布１５の斜辺部に接している。【選択図】図１
0003223086.tif 000002
【実用新案登録請求の範囲】
【請求項１】
保冷剤入れを設けた二等辺三角形の布からなる三角巾。
【請求項２】
少なくとも１つの前記保冷剤入れの入れ口部分は、前記二等辺三角形の布の斜辺部に接していることを特徴とする請求項１に記載の三角布。
【考案の詳細な説明】
【技術分野】
【０００１】  本考案は三角巾に関し、熱中症防止を目的とした三角布に関する。
【背景技術】
【０００２】  夏熱くて三角巾を被って作業をすると、熱中症になる恐れがあった。
【考案の概要】
【考案が解決しようとする課題】
【０００３】  熱中症防止
【課題を解決するための手段】
【０００４】  本考案は、これらの課題を解決するため、保冷剤入れを備えた三角巾を提供する。【０００５】  本考案の三角巾は保冷剤入れを設けた二等辺三角形の布からなることを特徴とする。三角巾の使用時に本発明の保冷剤入れに保冷剤を入れることで、常時接触部位が冷やされた状態になる為、熱中症を防止する事が出来る。【０００６】  本考案の三角巾は少なくとも１つの保冷剤入れの入れ口部分は、二等辺三角形の布の斜辺部に接していることを特徴とする。二等辺三角形の布の斜辺部に保冷剤入れの入れ口部分が接している場合、三角巾を頭部に使用する時に、当該保冷剤入れに入れられていた保冷剤は、常時頭部に接触して高い冷却効果を発揮することができる。
【考案の効果】
【０００７】  熱中症予防になる。
【図面の簡単な説明】
【０００８】
【図１】本考案の実施の形態の三角巾
【図２】本考案の別の形態の三角巾
【図３】本考案の三角巾の使用方法を示す平面図
【図４】本考案の三角巾の使用方法を示す側面図
【図５】本考案の三角巾の使用方法を示す側面図
【図６】本考案の三角巾の使用方法を示す正面図
【図７】本考案の三角巾の使用方法を示す正面図
【図８】本考案の三角巾の使用方法を示す背面図
【図９】本考案の三角巾の使用方法を示す正面図
【考案を実施するための形態】
【０００９】  本考案の実施の形態について図面を参照して説明する。図１を参照して三角巾の構成を説明する。三角巾１０は本体１２と本体１２の裏側に取り付けられた保冷剤入れ１５で構成されている。
【００１０】  本体１２は自然素材、及び自然素材と同様な布であり全体として略二等辺三角形の状態になっている。
その底辺にあたる部分は、同じ素材の布を２枚〜４枚縫い付けられている。
【００１１】  布１５は本体１２の裏側の底辺の辺傍に底辺２４に沿って中央の位置に２枚と、４枚縫い付けられている、布１５は保冷剤を入れるためのものである。布１５の縫い付け部分には保冷剤を出し入れし易いように、布１５に３３、３１にゆるみを持たせて縫い付ける。
布１５は、３３，３１に１０ｃｍにゆるみを足す事で、保冷剤が出し入れし易くなる。
【００１２】  次に図３を参照して、三角巾の使用方法を説明する。
三角巾１０の裏側を１５出し入れ口から保冷剤が飛び出さない様に２４を数センチ折り曲げた状態にする。
【００１３】  次に図４を参照して、三角巾の使用方法を説明する。
三角巾１０の裏側を後頭部に押し当てる、２２，２６を両手で引っ張る様にする。
【００１４】  次に図５、図６を参照して、三角巾の使用方法を説明する。
三角巾１０の３５を押さえながら、３５の上で一つ結び目を作る。
【００１５】  次に図７を参照して、三角巾の使用方法を説明する。
三角巾１０の３５を後方へ倒し、２２，２６を両手で結ぶ、３５を押さえながら行う。
【００１６】  次に図８を参照して、三角巾の使用方法を説明する。
左頭部、右頭部に発生する余り布をきれいに納めるとより良くなる。
【００１７】  次に図９を参照して、三角巾の使用方法を説明する。
三角巾１０の２６，２２のリボンの形状を整える。
布ズレなどが起こりにくく装着感が快適である。
【００１８】  次に図２を参照して、本考案の別の実施の形状を説明する。
医療用器具である三角巾１０を示す機能性も併せ持っている。
【符号の説明】
【００１９】１０    三角巾
１２    本体
１５    付属布
２２    端
２６    端
２４    底辺
３１    ゆるみ
３３    ゆるみ
３５    頂点
【図１】
0003223086.tif 000003
【図２】
0003223086.tif 000004
【図３】
0003223086.tif 000005
【図４】
0003223086.tif 000006
【図５】
0003223086.tif 000007
【図６】
0003223086.tif 000008
【図７】
0003223086.tif 000009
【図８】
0003223086.tif 000010
【図９】
0003223086.tif 000011
(57)【要約】      （修正有）【課題】保存容器や袋から直接すくえる大きさながら、少量の粉でも目詰まりせず、軽い力で左右にふるだけで粉ふるいでき、また周りに飛び散らない小型粉ふるい器を提供する。【解決手段】粉を保持し底面に網を有するカップ部１と、先端に粉ふるい棒４を有する握手部が接合軸３によって左右に揺れるように取付られ、粉ふるい棒はカップ部の底面をバネ弾性によって押付られ、握手部を左右に揺らすと粉ふるい棒が網面を擦り、確実に粉が下に落ちる。【選択図】図１
0003223082.tif 000002
【実用新案登録請求の範囲】
【請求項１】
粉をすくうカップ部と握手部の２部品が軸で接合され、左右に揺らすことのできる小型粉ふるいである。握手部の先には粉ふるい棒が設けられ、カップ部の網目にバネ弾性をもって常に押し付けられている。それにより握手部を持って左右に軽い力で揺らすだけで粉がふるえる小型粉ふるい器。
【考案の詳細な説明】
【技術分野】
【０００１】  本考案は小型粉ふるい器に関するものである。詳しくは保存容器や袋から直接粉をすくえる大きさながら、少量の粉でも目詰まりせず、周りに飛び散らない小型粉ふるい器である。
【背景技術】
【０００２】  料理やお菓子作りにおいて粉をふるう作業は、一般的な主婦にとって頻度はそれ程多くない。しかしながら料理の種類によっては欠かせない作業である。そこで場所を取らない小型の粉ふるい器は広く求められるものであった。また従来の小型粉ふるい器においては目詰まりが多く、綺麗に（均一に）粉がふるえるものがなかった。
【先行技術文献】
【０００３】
【特許文献】
【特許文献】公開実用新案昭５９−１３６７５０号広報
【考案の概要】
【考案が解決しようとする課題】
【０００４】  従来の粉ふるい器には次のような欠点があった。
（イ）従来の粉ふるい器はその大きさから、粉をふるい器に入れる際は別のスプーンなどで移さなければならなかった。またふるい終わった後は残った粉を戻す手間、粉をふるい器自体を洗って乾燥させてしまう手間があった。
（ロ）小型の粉ふるい器も考案されているが、カップの小さな粉ふるい器は、すくった粉の自重が軽いため粉が下に落ちずに目詰まりを起こした。また強く降ると粉が左右に飛び散り失敗することが多かった。
（ハ）先行技術、公開実用新案昭５９−１３６７５０号広報など一般的によくある粉ふるいは、粉ふるい部と網の間に僅かな隙間が生まれるため、粉が少量であると（ロ）と同様に粉粉が下に落ちずに目詰まりを起こした。
本考案は、以上のような欠点を無くすためになされたものである。
【課題を解決するための手段】
【０００５】（イ）小型粉ふるい器は、粉をすくい保持するカップ部１と、左右に揺らす際に手で保持する把手部２の２部品から構成される。２部品は接合軸３で接合され把手部２を持って揺らすとカップ部１は左右に揺れる。
（ロ）その際に粉の量が少ないと粉の自重だけでは落ちないのだが、把手部２の先には粉をふるう粉ふるい棒４が取り付けられている。カップ部１の底面は網５が設けられていて粉がふるい落とされるのであるが、ここでも単に粉ふるい棒４が平行に揺れるだけでは、粉の自重が軽いために下に落ちにくい。
（ハ）そこで解決策としてカップ部１の網５に対し、粉ふるい棒４がバネ弾生をもって常に押し付けられている状態を作り出す。粉ふるい棒４はカップ部の底面に並行より僅かに角度を設けて設置される。これにより網５の上を粉ふるい棒４が粉を擦り切りながら移動するため粉が確実に下に落ちるのである。
【考案の効果】
【０００６】（イ）本考案は保存容器や袋から直接すくえる大きさなので、スプーンなど粉を移す道具がいらない分洗いものが減る。またそのまま袋の中に入れておくこともできる。
（ロ）本考案は非常に小型に作れるため保管場所に困らない。
（ハ）本考案は軽い力で揺らすだけで粉がふるえるため力が要らず疲れない。また子供などでも簡単使える。
（ハ）本考案は射出成形など樹脂で容易に生産が可能なため、消費者に安価に提供できる。
【図面の簡単な説明】
【０００７】
【図１】本考案の斜視図である。
【考案を実施するための形態】
【０００８】  粉をすくい保持するカップ部１と、左右に揺らす際に手で保持する把手部２の２部品から構成される。２部品は接合軸３で接合され把手部を持って左右に揺らすとカップ部１は左右に揺れる。把手部２の先には粉をふるうための粉ふるい棒４が設置される。またカップ部１の底面は網５が設けられていて粉がふるい落とされる。その際粉ふるい棒４はバネ弾生をもって網５に常に押し付けられているため、確実に粉ふるい棒が粉を擦り切りながら移動する。
本考案は以上のような構造である。
【符号の説明】
【０００９】  １  カップ部
２  把手部
３  接合軸
４  粉ふるい棒
５  網
【図１】
0003223082.tif 000003
【手続補正書】
【提出日】平成31年4月27日(2019.4.27)
【手続補正１】
【補正対象書類名】実用新案登録請求の範囲
【補正対象項目名】請求項１
【補正方法】変更
【補正の内容】
【請求項１】
粉を保持し底面に網を有するカップ部と、先端に粉ふるい棒を有する握手部が接合軸によって左右に揺れるように取付られ、前記粉ふるい棒はカップ部の底面をバネ弾性によって押付られ、握手部を左右に揺らすと粉ふるい棒が網面を擦り、確実に粉が下に落ちる特徴を持った小型粉ふるい器。
(57)【要約】      （修正有）【課題】フェイシャルエステティックにおいて熱さや痛みなどの不快感を伴わず、持続的に効果が得られる美顔処理用プローブを提供する。【解決手段】プローブは、片手で把持できる筒体の一方の端部にプラズマ発生用電極２００を備え、美顔処理をする皮膚に密着させるためにある導電性材料のＴ字形先端部２１０と、筒体の他方の端部に外部制御装置から電力及び高周波を供給するケーブルの端末を接合させた接続部とから成る。プラズマにより、肌の老化を防止するのに必要な水分やコラーゲン等を皮膚の角質層にまで浸透させることが可能である。プラズマは色素や水分に反応しないため、美顔処理による痛みや熱さなどの不快感を伴わない。また先端部がＴ字形となっていることから肌のリフトアップを容易に行うことが可能で、経験の浅い施術者であっても高度な施術が可能である。【選択図】図１
0003223084.tif 000002
【実用新案登録請求の範囲】
【請求項１】
片手で把持できる筒体の一方の端部１００にプラズマ発生用電極部２００を備え、
前記プラズマ発生電極部２００は、美顔処理をする生体皮膚に密着させるためにある導電性材料のT字形先端部２１０を備え、筒体の他方の端部１１０は外部制御装置から電力及び高周波を供給するケーブルの端末を接合させた接続部３００ とから成るプラズマ美顔処理用のプローブにあって、前記プローブは中央付近に把持補助部４００を持つことを特徴とする美顔処理用プローブ。
【請求項２】
前記T字形先端部２１０がステンレス製であることを特徴とする請求項１に記載のプローブ。
【考案の詳細な説明】
【技術分野】
【０００１】
本考案は、熱さや痛みなどの不快感を伴わないフェイシャルエステティック施術を可能とするプラズマ美容機器に関する。
【背景技術】
【０００２】
一般的にフェイシャルエステティックは、肌に付着した汚れの除去、ハンドマッサージやラジオ波等を利用し、表皮や真皮層へ働きかけることで肌のターンオーバーを促し、不足しているコラーゲンやエラスチンなどを補充する。即効性はあるもののその効果は一時的なもので、繰り返し当該施術を行う必要がある。
【０００３】
しかし、通常の洗顔では取り切れない汚れを除去することや肌への刺激も伴うトリートメント施術を行うこと等により、痛みを伴うことや電気式機器の使用により熱さを感じる場合が多いという問題点がある。さらにフェイシャルエステティックの施術には、高度な技術を要することからエステティシャンの技術力の差も問題点となっている。
【０００４】
さらに従来のフェイシャルエステティックは、一定期間経過後にその効果が急速に減少し、再度施術が必要となることからアフターケアにも時間と費用がかかり、当該状態を維持するコストが高いという問題点も存在する。
【考案の概要】
【考案が解決しようとする課題】
【０００５】
解決しようとする問題点は、フェイシャルエステティックにおいて熱さや痛みなどの不快感を伴うこと及びその効果が限定的となっていることである。
【課題を解決するための手段】
【０００６】
片手で把持できる筒体の一方の端部１００にプラズマ発生用電極部２００を備え、前記プラズマ発生電極部２００は、美顔処理をする生体皮膚に密着させるためにある導電性材料のT字形先端部２１０を備え、筒体の他方の端部１１０は外部制御装置から電力及び高周波を供給するケーブルの端末を接合させた接続部３００ とから成るプラズマ美顔処理用のプローブにあって、前記プローブは中央付近に把持補助部４００を持つことを特徴とする。
【考案の効果】
【０００７】
本考案は、高圧放電によってプラズマを発生させることにより、肌の老化を防止するのに必要な水分やコラーゲン等を皮膚の角質層にまで浸透させることが可能である。それにより肌老化の根本的原因の解消もできる。また発生したプラズマは色素や水分に反応しないという特徴を持つため、美顔処理による痛みや熱さなどの不快感を伴わない。また先端部がT字形となっていることから肌のリフトアップを容易に行うことが可能で、経験の浅い施術者であっても美容効果を持つ高度な施術が可能となっている。
【０００８】
また本考案は、使用の際にオゾンが発生しないため、美顔処理の際の健康上の害悪の危険性が低い。さらに効果の持続が長いため、最終的なコストの減少に貢献する。
【図面の簡単な説明】
【０００９】
【図１】図１は本考案の実施例の正面図である。（実施例１）
【考案を実施するための形態】
【実施例１】
【００１０】
以下図示された実施例に基づいて本考案の使用方法を説明する。
【００１１】
本考案を使用する前に、クレンジング剤等を用いて、美顔処理を受ける者の顔全体の汚れを取り除く。
【００１２】
次に美容液を顔全体に塗布する。当該美容液の成分として好ましいのは、水、グリセリン、DPG、PPG-9 ジグリセリル、ベンチレングリコール、BG、ヒト脂肪細胞培養液エキス、ヒト遺伝子組換オリゴペプチド-1、バチルス(アカマツ葉、 ゴヨウマツ葉、 クロマツ葉、 ダイズ)発酵液、スイゼンジノリ多糖体、サクシルノイルアテロコラーゲン、ポリクオタニウム-51、加水分解ゴマタンパクPG プロピルメチルシランジオール、(クエン酸、 乳酸、 リノール酸、 オレイン酸)グリセリル、オリーブ果実油、ポリソルベート60、1、2- ヘキサンジオール、(VP、 ポリカルバミルポリグリコール)エステル、アクリレーツコポリマー、ポリアクリル酸Na、ジメチコン、シクロペンタキシロサン、トリデセス-6、PEG、PPG-18、18 ジメチコン、ダイズステロール、水添レシチン、コレステロール、キサンダンカム、ココイルサルコシンNa、エタノール、フェノキシエタノール等を配合したもので添加物や防腐剤を含有しないものが好ましい。
【００１３】
本考案の把持補助部４００を利用して片手で把持し、接続部３００より電力及び高周波をプラズマ発生電極部２００に供給し、T字形先端部２１０にプラズマを発生させる。当該電極を生体皮膚に密着させ、前記美容液成分が角質層に浸透するまで施術を行う。
【符号の説明】
【００１４】
１００・１１０  端部
２００  プラズマ発生用電極部  
２１０  T字形先端部
３００  接続部
４００  把持補助部  
【図１】
0003223084.tif 000003
(57)【要約】      （修正有）【課題】金合金製、プラチナ合金製、銀合金製のチェーンを備えたネックレスと見た目で遜色がなく割安なこれまでとは異なるネックレスを提供する。【解決手段】ネックレス１は、ペンダントヘッド２とチェーン３とを備えている。ペンダントヘッドは、ゴールド製又はプラチナ製である。チェーンは、肌に優しく丈夫なステンレス３１６Ｌ製であり、ペンダントヘッドに対して着脱自在な構造で組み合わさっている。【選択図】図１
0003223552.tif 000002
【実用新案登録請求の範囲】
【請求項１】
ゴールド製又はプラチナ製のペンダントヘッドにステンレス製のチェーンを備えたことを特徴とするネックレス。
【請求項２】
ステンレス製のチェーンはペンダントヘッドに対して着脱自在であることを特徴とする請求項１記載のネックレス。
【請求項３】
３１６Ｌのステンレス製のチェーンであることを特徴とする請求項１又は２記載のネックレス。
【考案の詳細な説明】
【技術分野】
【０００１】
本願考案は、環状のチェーンとその先端に取り付けられるペンダントヘッドとを備えたネックレスに関するものである。
【背景技術】
【０００２】
一般に、ネックレスで用いられるチェーンは、金を主成分とする金合金製、プラチナを主成分とするプラチナ合金製、銀を主成分とする銀合金製のものが主流である（特許文献１明細書［００１８］）。
【０００３】
【特許文献１】実用新案登録第３２１９５７８号公報
【考案の概要】
【考案が解決しようとする課題】
【０００４】
しかし、近年の金価格の高騰や若者（特に平成生まれ）のジュエリー離れにより、これまでと異なるネックレスが求められている。
そこで、本願考案者は、ネックレスのチェーンに着目し、これをこれまで主流であった金合金製、プラチナ合金製、銀合金製ではなく、ステンレス製のものにすることで新たな需要を創出できると考え、本願考案を完成させるに至った。
【課題を解決するための手段】
【０００５】
本願考案の第１の考案は、ゴールド製又はプラチナ製のペンダントヘッドにステンレス製のチェーンを備えたことを特徴とするネックレスである。
第２の考案は、ステンレス製のチェーンがペンダントヘッドに対して着脱自在であることを特徴とする同ネックレスである。
第３の考案は、３１６Ｌのステンレス製のチェーンであることを特徴とする同ネックレスである。
【考案の効果】
【０００６】
本願考案によれば、以下のような効果を有する。
（１）同じペンダントヘッドを持つ金合金製チャーンのネックレス等と見た目は遜色ない一方で、割安で購入できるため、これまであまりネックレスの購入をしていない世代・層にも訴求効果がある。
（２）チェーンがペンダントヘッドに対して着脱自在であることで、購入者自身でチェーンの取り外しができるので、気分に応じて手持ちのチェーンに取り替えたり、修理・新品交換が容易になり、ネックレスの活用が広がる。
（３）３１６Ｌのステンレス製のチェーンを使用することで、肌に優しく、丈夫に長持ちできる。
【図面の簡単な説明】
【０００７】
【図１】本願考案に係るネックレスを説明する説明図。
【考案を実施するための形態】
【０００８】
本願考案の実施形態を図面に基づいて説明する。
図１に図示するように、ネックレス１は、ペンダントヘッド２とチェーン３とを備えている。
【０００９】
ペンダントヘッド２は、１０Ｋ（ホワイトゴールド）や１８Ｋ（ホワイトゴールド）等のゴールド製又はＰｔ９００等のプラチナ製である。
【００１０】
チェーン３は、ステンレス３１６Ｌ製である。
そして、チェーン３は、ペンダントヘッド２に対して着脱自在な構造で組み合わさっている。
【産業上の利用可能性】
【００１１】
本願考案は、その形状は問わず、金属製のネックレスに幅広く利用できるものである。
【符号の説明】
【００１２】
１    ネックレス
２    ペンダントヘッド
３    チェーン
【図１】
0003223552.tif 000003
(57)【要約】【課題】本考案は、使用後、洗浄した袋内部を、容易に乾燥させることが可能な袋乾燥具を、提供することを目的とする。【解決手段】内部洗浄した袋１００を、乾燥させるための袋乾燥具１であって、土台１０と、土台１０から立設する支柱２０と、支柱２０の側面に基端が回動自在に取り付けられている複数のアーム３０とを備え、使用時には複数のアーム３０の先端を上側に向けて、袋１００内部に差し込み、未使用時には複数のアーム３０の先端を下側に向けることが可能な袋乾燥具１。【選択図】図２
0003223518.tif 000002
【実用新案登録請求の範囲】
【請求項１】
内部を洗浄した袋を、乾燥させるための、袋乾燥具であって、土台と、土台から立設する支柱と、支柱の側面に基端側が、回動自在に取り付けられている、複数のアームを備え、使用時には複数のアームの先端を上側に向けて、袋内部に差し込み、未使用時には、複数のアームの先端を、下側に向けることが可能な袋乾燥具。
【考案の詳細な説明】
【技術分野】
【０００１】内部を洗浄した袋を、乾燥させるため袋乾燥具に関する。
【背景技術】
【０００２】食材を小分けにしたり、また、冷凍保存に用いる袋がある、しかし、使い方にもよるが、１回使って廃棄するには、諸般の事情など考慮すると、乾かして再利用したくなる。このため使用済みの袋を、洗浄する場合がある。この時、袋内部に付着した水を乾燥させるのは、手間がかかっていた。
【考案の概要】
【考案が解決しようとする課題】
【０００３】  本考案は、使用後、洗浄した袋の内部を、容易に乾燥させることが可能な袋乾燥具を、提供することを目的とする。
【問題を解決するための手段】
【０００４】  内部を洗浄した袋を、乾燥させるための袋乾燥具であって、土台と、土台から立地する支柱と、支柱の側面に基端側が回動自在に取り付けられている複数のアームとを備え、使用時には複数のアームの先端を、上側に向けて、袋内部に差し込み、未使用時には複数のアームの先端を下側に向けることが可能な、袋乾燥具。
【考案の効果】
【０００５】  本考案によれば、使用後、洗浄した袋内部を、容易に乾燥させることが可能となる。
【図面の簡単な説明】
【０００６】
【図１】本考案の実施形態に係る袋乾燥具の未使用時の態様を示す図である。
【図２】本考案の実施形態に係る袋乾燥具の使用時の態様を示す図である。
【考案を実施するための形態】
【０００７】  内部を洗浄した袋１００を、乾燥させるための袋乾燥具１であって、土台１０と、土台１０から立設する支柱２０と、支柱２０の側面に基端側が回動自在に取り付けられている複数のアーム３０とを備え、使用時には複数のアーム３０の先端を上側に向けて、袋１００内部に差し込み、未使用時にわは複数のアーム３０の先端を下側に向けることが可能な袋乾燥具１。
【０００８】  食材を小分けにしたり、また、冷凍保存に用いる袋がある、しかし、使い方にもよるが、１回使って廃棄するには、諸般の事情など考慮すると、乾かして再利用したくなる。本実説形態によれば、縦向きにかける使用おり、先端に、木球を付けることにより、空気が入り、きれいに乾く。未使用時は、折りたためるので、コンパクトな仕様になってる。
【符号の説明】
【０００９】１          袋乾燥
１０        土台
２０        支柱
３０        アーム
１００      袋
【図１】
0003223518.tif 000003
【図２】
0003223518.tif 000004
(57)【要約】      （修正有）【課題】練習時の騒音の大幅な低減や住宅内での練習を可能としたバドミントン用練習器具を提供する。【解決手段】幅４ミリメートル、高さ３ミリメートルの金属の平角線を２本使用し、終端部に接続金具を利用して円状に形成した骨格部に、円周状に４箇所切り欠きを設けた伸縮生地１を装着する。シャトル打ち込み時の騒音を大幅に低減できる。カーテンレール等に吊り下げる事により住宅内での練習も可能となる。また取付部４に取り付けるスタビライザー（重り）の重量調節により、練習の難易度が調整可能である。折りたたみも可能で移動も容易になる。【選択図】図１
0003223512.tif 000002
【実用新案登録請求の範囲】
【請求項１】
金属線には幅５ミリ、高さ２ミリの平角線を2本使用、終端部に接続金具を利用して円状にした骨格部に円周状に4箇所切り欠きを設けた伸縮生地を装着したバドミントン用トレーニング機器
【請求項２】
骨格部分を含め、折りたたみが可能とした請求項１に記載のバドミントン用トレーニング機器
【考案の詳細な説明】
【技術分野】
【０００１】
バドミントンのトレーニングの一つにシャトルを壁に向かって打ち、跳ね返ってきたシャトルを打ち返す動作を繰り返す「壁打ち」というトレーニングがある。本考案はこの壁打ちトレーニングを場所を選ばず、容易にできることを目的として開発されたものである。
【背景技術】
【０００２】
従来の「壁打ち」トレーニングは建物の壁を利用して行うものが主であったが、一定の広さの壁が必要なことやシャトルが壁に当たった際に起こる反発音により、限定された場所でしか行う事が出来なかった。
【考案の概要】
【考案が解決しようとする課題】
【０００３】
本考案は壁の代わりに伸縮生地を利用することにより、場所を選ぶ事なく「壁打ち」トレーニングが出来る事を目的に開発された。本考案は重さ600グラムでありカーテンレール等、吊り下げる場所さえあれば場所を選ぶことなく設置が可能である。また伸縮生地を利用するために反発音もなく、住宅内でのトレーニングも可能である。
【課題を解決するための手段】
【０００４】
打球面となる円状の伸縮生地の円周部を袋状に縫製、そこに金属製の平角材を通し接続金具を利用して円状にしたものをカーテンレールなどから吊り下げる事により課題を解決する。
【考案の効果】
【０００５】
本考案は下部にスタビライザー（重り）を付ける事によって、反発面の安定化を図っているが、スタビライザーの重量を調整することによってトレーニングの難易度を変える事が可能である。
重りを重めの状態で利用すると、反発面の揺れが小さくなり、シャトルの反発が一定となる。そのためシャトルが打ち易くなり、初心者向けのトレーニングが可能である。
またスタビライザーが軽い状態で利用すると、反発面の揺れが大きくなり、シャトルの返りがよりランダムになる。そのため、より迅速な反応が求められ、より強い強度でのトレーニングが可能である。
また本考案の骨格部分は幅5ミリ、高さ2ミリの金属製平角線2本で構成されており、使用状態（直径約100センチ）から折りたたむことが可能で持ち運びも容易である。折りたたみ後の直径は約半分の47センチとなる。
【図面の簡単な説明】
【０００６】
【図１】本考案の全体図及び構造を示す。
【図２】本考案を収納する際に折りたたむ様子を図案化したものである。
【考案を実施するための形態】
【０００７】
本考案の打球面には円周上に4箇所の切り欠きが設けてある。上部切り欠き2箇所に吊り下げ用のフックを装着しカーテンレール等に吊り下げる。下2箇所の切り欠きには重り（例として水の入ったペットボトル）を装着、吊り下げられた本考案に対しシャトルを打ち込みトレーニングを行う。
【符号の説明】
【０００８】
１  打球面（伸縮生地）
２  金属線
３  吊り下げ具取付部
４  スタビライザー（重り）取付部
【図１】
0003223512.tif 000003
【図２】
0003223512.tif 000004
【手続補正書】
【提出日】令和1年8月18日(2019.8.18)
【手続補正１】
【補正対象書類名】実用新案登録請求の範囲
【補正対象項目名】請求項１
【補正方法】変更
【補正の内容】
【請求項１】
幅４ミリメートル、高さ３ミリメートルの金属の平角線を２本使用し、終端部に接続金具を利用して円状に形成した骨格部に、円周状に４箇所切り欠きを設けた伸縮生地を装着したバドミントン用トレーニング機器。
【手続補正２】
【補正対象書類名】実用新案登録請求の範囲
【補正対象項目名】請求項２
【補正方法】変更
【補正の内容】
【請求項２】
骨格部は折りたたみ可能である請求項１に記載のバドミントン用トレーニング機器。
(57)【要約】      （修正有）【課題】より簡便に且つ強固に固定することを可能とした車止めブロックを提供する。【解決手段】砂利の路面４に配置した車止めブロック本体１には縦に貫通した開口部２が設けられている。その開口部から直下の砂利等を掘削し、アンカー５を打込み、コンクリート６を充填し、その硬化によって固定するが、掘削の深さやアンカーの種類と本数及びコンクリートの調合等により、より強固に固定することが可能となる。【選択図】図２
0003223520.tif 000002
【実用新案登録請求の範囲】
【請求項１】
車止めブロックの中央部には、直下の砂利の掘削やアンカーの打込み等による固定作業を可能とするための、縦方向に貫通した開口部が設けられていることを特徴とする、砂利敷き駐車場向けの車止めブロック。
【考案の詳細な説明】
【技術分野】
【０００１】  本考案は、砂利敷きの駐車場に設置する車止めブロックに関するものである。
【背景技術】
【０００２】  これ迄の、砂利の路面に設置された車止めブロックは、タイヤが繰返し当たることでアンカーが抜け出て傾いた物も散見され、足場用の単管パイプで代用した場合では歪みや錆が問題となり、何れも機能と美観の低下が顕著である。また、Ｌ型側溝等を用いた場合でも、ガタツキを生じさせないためにはコンクリートで下地を造る等の措置が必要となる。
【考案の概要】
【考案が解決しようとする課題】
【０００３】  前述の様に、砂利敷き駐車場で見られる各種の車止めは経年劣化が課題となるが、コンクリートの路面を部分的に造り、そこに車止めブロックを固定している場合では機能が維持されている。このことから、砂利の路面に対してより簡便に且つ強固に固定することを可能とした、車止めブロックの提供を目的とする。
【課題を解決するための手段】
【０００４】  本考案の車止めブロックには縦に貫通した開口部が設けられており、その開口部によって直下の砂利等の掘削と、アンカーの打込みやコンクリートの充填を可能とし、充填したコンクリートの硬化によって固定するものである。
【考案の効果】
【０００５】  車止めブロックを固定する際の、開口部からの砂利等の掘削の深さや、アンカーの種類と本数及びコンクリートの調合等によって、より強固に固定することが可能となる。【０００６】  従って、車止めブロックを固定するためのコンクリートの路面は不要であり、砂利の路面の造成も全体を一度に行う事が可能となる。【０００７】  また、この開口部は砂利等を掘削するための広さがあり、アンカーが岩に当たった場合でも脇に打ち足すことができ、開口部の内周の壁はコンクリートを充填する際の止め枠の役割を果たすことになる。
【図面の簡単な説明】
【０００８】
【図１】本考案の車止めブロックの一実施例を示した投影図である。
【図２】本車止めの固定した状態を示す短辺方向の断面図である。
【図３】本車止めの固定した状態を示す長辺方向の断面図である。
【実施例】
【０００９】  以下、添付図面に従って一実施例を説明する。鉄筋を有するコンクリート等の適宜資材によって形成された車止めブロック本体１には、縦に貫通した開口部２が設けられており、この本体１を砂利の路面４に配置して、開口部２から直下の砂利等を掘削し、５のアンカーを打込み、６のコンクリートを充填し、充填したコンクリートの硬化によって固定する。【００１０】  車止めブロック本体１は、長さが５０ｃｍから６０ｃｍで高さが１２ｃｍ程度となるが、奥行きは開口部２を設けたことにより３０ｃｍ前後となる。また、この開口部２の内周の壁に設けられた段差３はアンカーを打込む際の高さの目安であると共に、それより上を広くして打込み作業をし易くするものである。
【符号の説明】
【００１１】１  車止めブロック本体
２  縦に貫通した開口部
３  段差
４  砂利の路面
５  アンカー
６  コンクリート
７  タイヤ
【図１】
0003223520.tif 000003
【図２】
0003223520.tif 000004
【図３】
0003223520.tif 000005